(57)【要約】  本発明に係る腰ベルトは、被着者の取付動作に伴う力をベルト本体に確実に伝達作用させて装着を容易且つ正確に実行できる腰ベルトを提供する。  長手方向の少なくとも一部に伸縮性を有する部材で形成されるベルト本体１と、当該ベルト本体１の両端部位に相互に係止する各係止部２，３とを備える腰ベルトであって、前記ベルト本体１を被着者に被着する場合に、被着者側の内側で、且つ前記各係止部の近傍に配設され、前記被着者の親指のみを挿入可能な一対の挿入支持部４，５を備える構成である。
2020085367.tif 000002
【特許請求の範囲】
【請求項１】
長手方向の少なくとも一部に伸縮性を有する部材で形成されるベルト本体と、当該ベルト本体の両端部位に相互に係止する各係止部とを備える腰ベルトであって、
前記ベルト本体を被着者に被着する場合に、被着者側の内側で、且つ前記各係止部の近傍に配設され、前記被着者の親指のみを挿入可能な一対の挿入支持部を備えることを
特徴とする腰ベルト。
【請求項２】
前記請求項１に記載の腰ベルトにおいて、
前記各係止部が、ベルト本体の表側に配設されるループ面と、ベルト本体の裏側に配設されるフック面からなる面ファスナーで形成され、
前記一の挿入支持部がフック面側の面ファスナーからなる一の係止部に隣接した前記ベルト本体側に配設されると共に、前記他の挿入支持部がループ面側の面ファスナーからなる他の係止部に重畳した部位に配設されることを
特徴とする腰ベルト。
【請求項３】
前記請求項１又は２に記載の腰ベルトにおいて、前記ベルト本体を被着者に被着する場合に、被着者に対して外側で、且つ前記各係止部の少なくとも一方の近傍に配設され、前記被着者の親指以外の指を挿入可能な副挿入支持部を備えることを
特徴とする腰ベルト。
【請求項４】
前記請求項１ないし３のいずれかに記載の腰ベルトにおいて、
前記ベルト本体が、長手方向にのみ伸縮性を有する部材で形成され、被着者の腰部及び／又は背中に密着して支持する中央支持部と、当該中央支持部の左右両側及び前記各係止部間に介装され、長手方向に伸縮性を有する部材で形成される調整部とを備えることを
特徴とする腰ベルト。
【請求項５】
前記請求項１ないし４のいずれかに記載の腰ベルトにおいて、
前記ベルト本体の中間であって一側端に近い部位に一端部が固着され、伸縮性を有するベルト本体の部材より伸縮性が小さい帯状体からなる一の押圧バンド部と、
前記ベルト本体の中間であって他側端に近い部位に一端部が固着され、伸縮性を有するベルト本体の部材より伸縮性が小さい帯状体からなる他の押圧バンド部とを備え、
前記一の押圧バンド部がベルト本体の他側端側に巻回されて係止されると共に、前記他の押圧バンド部がベルト本体の一側端側に巻回されて係止されることを
特徴とする腰ベルト。
【発明の詳細な説明】
【技術分野】
【０００１】
本発明は、被着者の腰部に装着されて固定支持する腰ベルトに関し、特に被着者の装着を容易且つ確実に装着することができる腰ベルトに関する。
【背景技術】
【０００２】
従来、この種の腰ベルトとして、コルセットベルト、腰サポータ等として特許文献１〜４に記載の従来の技術が開示されている。【０００３】
これらの従来技術のうち、特許文献１ないし３に記載の発明は、ベルト本体（コルセットベルト体）の外側に手の５本指又は親指を除く４本指を挿入してベルト本体の両端を支持して長手方向に引っ張りつつ被着者の腰部に巻回し、この両端部分に配設された面ファスナー相互を重畳して着脱自在に装着する構成である。【０００４】
また、特許文献４に記載の発明は、伸縮自在な材料から形成された本体部の一端部に雄型面ファスナーを設け、本体部の他端部または全部に雌型面ファスナーを設け、さらに本体部に設けた雄型面ファスナーが設けられた一端部の表側には、少なくとも親指を除いた４指と手のひらが挿入できるポケットを設け、本体部の雌型面ファスナーに対して、反対側に相当する他端部の裏側に少なくとも親指を除いた４指と手のひらが挿入できるポケットを設けたことによりサポーター本体の両端部にポケットを有する構成である。【０００５】
また、特許文献５に記載の発明は、腰ベルトではないが就寝時両膝拘束用バンドとして帯状のバンド本体の端部に面ファスナーを配設し、この面ファスナーが取り付けられるバンド本体の裏側の背面側（バンド本体の表面）にポケット形状の掴み部を配設し、被着が掴み部に掌を上に向けてポケットに挿し込むことにより裏面の面ファスナーをバンド本体の他の面ファスナーに係合させて係止する構成である。
【先行技術文献】
【特許文献】
【０００６】
【特許文献１】特開２００３−２９９６８２号公報
【特許文献２】特開２００１−１２９００６号公報
【特許文献３】特許第３３７５９１７号公報
【特許文献４】特許第５１１５７４３号公報
【特許文献５】実用新案登録第３１３９６９５号公報
【発明の概要】
【発明が解決しようとする課題】
【０００７】
前記各従来技術の腰ベルト若しくは就寝時両膝拘束用バンドは、いずれもベルト本体の表側に被着者の指若しくは掌を挿入するポケットが配設される構成であることから、このベルト本体の両端部分に配設される各面ファスナーを重畳して係合させる際に被着者の両手・両腕を前側で交叉する方向に力を加えなければならず、この交叉する方向の力が十分にベルト本体の両端に伝達することができないことから、被着者の腰部に容易且つ正確に装着できないという課題を有していた。【０００８】
特に、女性・身体障害者・年配者等の非力な被着者である場合には、装着が困難となるという課題を有する。【０００９】
本発明に係る腰ベルトは、前記課題を解決するためになされたもの、被着者の取付動作に伴う力をベルト本体に確実に伝達作用させて装着を容易且つ正確に実行できる腰ベルトを提供することを目的とする。
【課題を解決するための手段】
【００１０】
本発明に係る腰ベルトは、長手方向の少なくとも一部に伸縮性を有する部材で形成されるベルト本体と、当該ベルト本体の両端部位に相互に係止する各係止部とを備える腰ベルトであって、前記ベルト本体を被着者に被着する場合に、被着者側の内側で、且つ前記各係止部の近傍に配設され、前記被着者の親指のみを挿入可能な一対の挿入支持部を備える構成である。【００１１】
このように本発明に係る腰ベルトにおいては、長手方向に伸縮性を有する部材でベルト本体が形成され、このベルト本体の両端部に形成される係止部の各々近傍であって、このベルト本体の内側に被着者の親指を挿入可能な一対の挿入支持部が形成される構成としたことから、被着者の腰部に装着する際にベルト本体の両端部を内側から各親指を一対の挿入支持部に挿入し、且つ外側から他の四本指で各々挟持した状態で係止部相互を重畳させて係止できることとなり、被着者の取付動作に伴う力をベルト本体の両端部に円滑に伝達・作用させて容易且つ確実な装着ができるという効果を奏する。【００１２】
また、本発明に係る腰ベルトは必要に応じて、各係止部が、ベルト本体の表側に配設されるループ面と、ベルト本体の裏側に配設されるフック面からなる面ファスナーで形成され、前記一の挿入支持部がフック面側の面ファスナーからなる一の係止部に隣接した前記ベルト本体側に配設されると共に、前記他の挿入支持部がループ面側の面ファスナーからなる他の係止部に重畳した部位に配設される構成である。【００１３】
このように本発明に係る腰ベルトにおいては、各係止部をベルト本体の表側に配設されるループ面とベルト本体の裏側に配設されるフック面とからなる面ファスナーで形成し、一の挿入支持部をフック面側の面ファスナーからなる一の係止部に隣接した前記ベルト本体側に配設し、他の挿入支持部をループ面側の面ファスナーからなる他の係止部に重畳した部位に配設する構成としたことから、ベルト本体の両端部を内側から各親指を一対の挿入支持部に挿入し、且つ外側から他の四本指で各々挟持した際にベルト本体の両端部に配設される面ファスナーの係止部がベルト本体の外側から挟持する他の四本指に遮蔽されることなく重畳させて係止できることとなり、被着者の取付動作に伴う力をベルト本体の両端部に円滑に伝達・作用させて容易且つ確実な装着ができる効果を有する。【００１４】
また、本発明に係る腰ベルトは必要に応じて、ベルト本体を被着者に被着する場合に、被着者に対して外側で、且つ前記各係止部の少なくとも一方の近傍に配設され、前記被着者の親指以外の指を挿入可能な副挿入支持部を備える構成である。【００１５】
このように本発明に係る腰ベルトにおいては、ベルト本体の外側であって、少なくとも一方の係止部近傍に被着者の親指以外の指を挿入する副挿入支持部を配設する構成としたことから、ベルト本体の両端部を内側から各親指を一対の挿入支持部に挿入し、且つ外側から他の四本指で各々挟持した状態をより強く指示できることとなり、被着者の取付動作に伴う力をベルト本体の両端部に円滑に伝達・作用させて容易且つ確実な装着ができるという効果を有する。【００１６】
また、本発明に係る腰ベルトは必要に応じて、ベルト本体が、長手方向にのみ伸縮性を有する部材で形成され、被着者の腰部及び／又は背中に密着して支持する中央支持部と、当該中央支持部の左右両側及び前記各係止部間に介装され、長手方向に伸縮性を有する部材で形成される調整部とを備える構成である。【００１７】
このように本発明に係る腰ベルトにおいては、長手方向にのみ伸縮性を有する部材で形成され、被着者の腰部及び／又は背中に中央支持部が密着して支持し、この中央支持部の左右両側及び前記各係止部間に長手方向に伸縮性を有する部材で形成される調整部が介装されてベルト本体を構成していることから、被着者の腰部に安定した状態で左右対称にバランス良く装着できることから、被着者の取付動作に伴う力をベルト本体の両端部に円滑に伝達・作用させて容易且つ確実な装着ができるという効果を有する。【００１８】
また、本発明に係る腰ベルトは必要に応じて、ベルト本体の中間であって一側端に近い部位に一端部が固着され、伸縮性を有するベルト本体の部材より伸縮性が小さい帯状体からなる一の押圧バンド部と、前記ベルト本体の中間であって他側端に近い部位に一端部が固着され、伸縮性を有するベルト本体の部材より伸縮性が小さい帯状体からなる他の押圧バンド部とを備え、前記一の押圧バンド部がベルト本体の他側端側に巻回されて係止されると共に、前記他の押圧バンド部がベルト本体の一側端側に巻回されて係止される構成である。【００１９】
このように本発明に係る腰ベルトにおいては、ベルト本体の中間であって一側端に近い部位に、伸縮性を有するベルト本体の部材より伸縮性が小さい帯状体からなる一の押圧バンド部が一端部が固着され、このベルト本体の中間であって他側端に近い部位に伸縮性を有するベルト本体の部材より伸縮性が小さい帯状体からなる他の押圧バンド部が一端部が固着され、この一の押圧バンド部がベルト本体の他側端部に巻回されて係止されると共に、他の押圧バンド部がベルト本体の一側端側に巻回されて係止される構成としたことから、伸縮性を有するベルト本体で被着者の腰部を締め付けて固定すると共に、このベルト本体の上側から圧迫して締付をさらに強固に固定できることとなり、被着者の取付動作に伴う力をベルト本体の両端部に円滑に伝達・作用させて容易且つ確実な装着ができる効果を有する。
【図面の簡単な説明】
【００２０】
【図１】本発明の第１実施形態に係る腰ベルトの平面図及び背面図である。
【図２】図１に記載する第１実施形態に係る腰ベルトを被着者の腰部に被着する動作態様図である。
【図３】図２に記載する被着動作態様における被着者の両手における動作説明図である。
【図４】本発明の第２実施形態に係る腰ベルトの平面図及び背面図である。
【図５】図４に記載する第２実施形態に係る腰ベルトを被着者の腰部に被着する際の被着者の両手における動作説明図である。
【図６】本発明の第３実施形態に係る腰ベルトの平面図及び背面図である。
【図７】図６に記載する第３実施形態に係る腰ベルトを被着者の腰部に被着する動作態様図である。
【図８】本発明の他の実施形態に係る腰ベルトの背面図である。
【発明を実施するための形態】
【００２１】
（本発明の第１実施形態）
以下、本発明の第１実施形態に係る腰ベルトを図１ないし図３に基づいて説明する。
前記各図において本実施形態に係る腰ベルトは、長手方向の少なくとも一部に伸縮性を有する部材で形成されるベルト本体１と、このベルト本体１の両端部位に相互に係止する各係止部２，３と、前記ベルト本体１を被着者に被着する場合に、被着者側の内側で、且つ前記各係止部の近傍に配設され、前記被着者の親指のみを挿入可能な一対の挿入支持部４，５とを備える構成である。
【００２２】
前記ベルト本体１は、非伸縮性の部材で形成され、被着者の腰部及び／又は背中に密着して支持する中央支持部１１と、この中央支持部１１の左右両端及び前記各係止部間に介装され、長手方向のみに伸縮性を有する部材で形成される調整部１２，１３とを備える構成である。
【００２３】
前記係止部２は、ベルト本体の１の調整部１２から長手方向に延出して接続された状態で配設される係止基部２１と、この係止基部２１上のベルト本体１裏面側に配設され、面ファスナーを形成するフック面部２２とを備える構成である。また、係止部３は、ベルト本体１の調整部１３から長手方向に延出して接続された状態で配設される係止基部３１と、この係止基部３１上のベルト本体１の表面側に配設され、面ファスナーを形成するループ面部３２とを備える構成である。
【００２４】
前記挿入支持部４は、係止部２の外側端部に形成されたフック面部２２に隣接する挿通穴として配設され、この挿通穴が斜め上方に開口するスリットとして形成される構成である。また、前記挿入支持部５は、係止部３の外側端部に隣接する挿通穴として配設され、この挿通穴が斜め上方に開口するスリットとして形成される構成である。
【００２５】
次に、前記構成に基づく本実施形態に係る腰ベルトの装着動作について説明する。
まず、被着者がベルト本体１の両端部分をもって背中側を通って被着者の腰部に中央支持部１１を当接させる。この中央支持部１１を被着者の腰部に当接させて状態で、被着者はベルト本体１の両端内側に配設される係止部２，３の挿入支持部４，５に左・右の各親指を挿入すると共に、ベルト本体１の両端外側の係止部２，３に親指以外の四本指を押圧し、この左右の親指と左右の他の四本指で表裏面から係止部２，３を挟持する。
【００２６】
この親指及び他の四本指で挟持された係止部２，３を被着者の前方へ押し出しつつ、前面で左・右の腕を交叉する方向に動作させてベルト本体１の長手方向で離反する方向に力Ｔ１，Ｔ２を加える。この被着者の左・右の腕・手による力Ｔ１，Ｔ２は、被着者の左・右の親指がベルト本体１の裏面側の挿入支持部４，５に各々挿入して係止され、さらに左・右の他の四本指でベルト本体１の表面側の係止部２，３を押圧して強固に挟持できることから、ベルト本体１の両端部分に円滑に伝達し作用させる。このように伝達・作用した力Ｔ１，Ｔ２により、被着者は中央支持部１１を自分の腰部に当接させ調整部１２，１３を左・右に引き伸ばしながら係止部３のループ面部３２に係止部２のフック面部２２を重畳させて面ファスナーを最小限の力で係合させ、腰ベルトとして装着できることとなる。
【００２７】
即ち、本実施形態に係る腰ベルトは、被着者がベルト本体１の裏面（内側）に配設される左・右の各挿入支持部４，５に左・右の親指を挿通固定し、この挿入支持部４，５の反対側（表面）の係止基部２１，３１に他の四本指を押圧することにより、左・右の指全体（各５本指）で係止部２，３を挟持できることとなり、しかも左・右の各親指を挿入支持部４，５に挿通して内側から外側に押し出す動作となることから、被着者の被着動作の力Ｔ１，Ｔ２を最小限の力でこの力を損失することなく円滑にベルト本体１に伝達できる。このような被着動作の力Ｔ１，Ｔ２の円滑な伝達により、強力な伸縮力を有する調整部１２，１３のベルト本体１を容易且つ確実に腰部に装着できることとなる。
【００２８】
（本発明の第２実施形態）
次に、本発明の第２実施形態に係る腰ベルトを図４及び図５に基づいて説明する。
前記各図において本実施形態に係る腰ベルトは、前記第１実施形態に係る腰ベルトと同様に、ベルト本体１、係止部２，３、挿入支持部４，５を共通して備え、この構成に加え、前記挿入支持部４及び挿入支持部５の各背面側（ベルト本体１の表面）に被着者の親指以外の四本指を挿入する副挿入支持部６，７を配設する構成である。
【００２９】
この副挿入支持部６，７は、前記係止部２，３とは別部材で形成され、この係止部２，３の表面に布地を縫着して斜上方に開口するポケット状に構成される。このポケット状の副挿入支持部６，７は、その開口方向が前記挿入支持部４，５の開口と同様な斜上方の角度で形成されることとなる。
【００３０】
次に、前記構成に基づく本実施形態に係る腰ベルトの装着動作について説明する。
まず、前記第１実施形態の腰ベルトと同様に被着者の腰部にベルト本体１の中央支持部１１を当接させた状態で、被着者はベルト本体１の両側裏面（内側）に配設された係止部２，３の挿入支持部４，５に左・右の各親指を挿入すると共に、ベルト本体１の両側表面（外側）に配設された副挿入支持部６，７に前記親指以外の四本指を挿入する。この被着者の左右各親指が挿入支持部４，５に、また左・右の各四本指が副挿入支持部６，７に各々挿通されて確実に固定された状態となり、被着者は各係止部２，３を左・右の全ての指で掴んで挟持できることとなる。被着者は、この掴んだ各係止部２，３を前方へ押し出しつつ前面で腕を交叉する方向に動作させて被着者自身がベルト本体１を腰部に巻き付ける力Ｔ１，Ｔ２をより確実にベルト本体１に作用させることができる。このような被着動作の力Ｔ１，Ｔ２の円滑な伝達により、強力な伸縮力を有する調整部１２，１３のベルト本体１を容易且つ確実に腰部に装着できることとなる。
【００３１】
（本発明の第３実施形態）
さらに、本発明の第３実施形態に係る腰ベルトを図６及び図７に基づいて説明する。
前記各図において本実施形態に係る腰ベルトは、前記第１及び第２の実施形態と同様に、ベルト本体１、係止部２，３、挿入支持部４，５を共通して備え、この構成に加え、ベルト本体１の表面側に前記ベルト本体１の中央支持部１１及び調整部１３の境界接続部分に一端が固着され、他端を前記係止部３に着脱自在に取り付けられる押圧ベルト８と、ベルト本体１の表面側に前記ベルト本体１の中央支持部１１及び調整部１２の境界接続部分に一端が固着され、他端を前記係止部２に着脱自在に取り付けられる押圧ベルト９とを備える構成である。
【００３２】
前記押圧ベルト８は、非伸縮性の帯状体をＹ字状に組合せて形成され、このＹ字状に二分割された二辺の帯体８１，８２の基端を基部固定部８０により縫着固定され、前記Ｙ字状の一辺を形成する帯体８３を前記基部固定部８０上に形成されたループ８４に貫通させ、この帯体８３の先端に配設される面ファスナーのフック部８５で係止部２のループ部２３に着脱自在に係合する構成である。
【００３３】
前記押圧ベルト９は、押圧ベルト８と同様に非伸縮性の帯状体をＹ字状に組合せて形成され、このＹ字状に二分割された二辺の帯体９１，９２の基端を基部固定部９０により縫着固定され、前記Ｙ字状の一辺を形成する帯体８３を前記基部固定部９０上に形成されたループ９４に貫通させ、この帯体８３の先端に配設される面ファスナーのフック部９５で係止部３のループ部３２に着脱自在に係合する構成である。
【００３４】
前記押圧ベルト８（又は、９）は、各々他のＹ字状の二辺の帯体９１，９２（又は８１，８２）の二股領域に各々のＹ字状の一辺の帯体８３（又は、９３）を挿通して各々逆向きにベルト本体１の表面側を摺接状態で引き廻すことができるような構成である。
【００３５】
次に、前記構成に基づく本実施形態に係る腰ベルトの装着動作について説明する。
まず、図７に示すように、係止部２，３の各ループ部２３，３２から押圧ベルト８，９の各フック部８５，９５を引き剥がして押圧ベルト８，９をフリーな状態とした後に、前記第１の実施形態の腰ベルトと同様に被着者の腰部にベルト本体１の中央支持部１１を当接させた状態とする。この状態から被着者は、ベルト本体１の両端裏側（内側）に配設された係止部２，３の挿入支持部４，５に左・右の各親指を挿入すると共に、係止部２，３の表側８外側）から親指以外の四本指を押圧して左・右の全指（各５本指）で係止部２，３を掴み挟持する。
【００３６】
被着者は、この係止部２，３を掴み挟持して前方へ押し出し、且つ前面で左・右に交叉するように各腕を動作させて力Ｔ１，Ｔ２をベルト本体１に加える。この力Ｔ１，Ｔ２により調整部１２，１３を各々左・右に引き伸ばしながら係止部３のフック部３２に係止部２のフック部２２を係合させて被着者の腰部に装着できることとなる。このベルト本体１を被着者に容易且つ確実に装着した後に、前記押圧ベルト８，９を左・右に引き廻してフック部８５，９５をループ部２３，３２に係合固定して、ベルト本体の上層からさらに強固に固定支持できることとなる。
【００３７】
このように被着者が左・右の各親指を挿入支持部４，５に挿通して確実に掴んだ状態で装着動作を行い、この装着動作がベルト本体１の内側に配設された挿入支持部４，５に挿通した各親指で内側から外側に向かって押し出すように力Ｔ１，Ｔ２を加えることとなり、被着動作の力Ｔ１，Ｔ２の円滑な伝達により、強力な伸縮力を有する調整部１２，１３のベルト本体１を容易且つ確実に腰部に装着できることとなる。
【００３８】
（本発明の他の実施形態）
また、本発明の他の実施形態に係る腰ベルトを図８に基づいて説明する。同図において他の実施形態に係る腰ベルトは、前記第１の実施形態に係る腰ベルトと同様に、ベルト本体１、係止部２，３、挿入支持部４，５を共通して備え、この挿入支持部４，５の形状が指入れ口部４ａ，５ａから指入れ先端部４ｂ，５ｂに向かって先細状に形成される構成である。
【００３９】
このように、挿入支持部４，５を先細状に形成したことから、被着者が親指を挿入して指入れ先端部４ｂ，５ｂに親指先端が支持固定され、この親指先端が固定された状態でベルト本体１を引き伸ばしつつ拡開形状の指入れ口部４ａ，５ａで親指の付け根部分を移動させることができることとなる。挿入支持部４，５に挿入された親指における先端の固定と付け根の移動とにより、腰サポータを被着者の腰部に巻回する開始時から装着完了までの一連の装着動作において、親指の角度を自在に調整して被着者の力を最適な状態でベルト本体１に伝達して装着動作を極めて円滑に実行できることとなる。
【００４０】
さらにまた、本実施形態に係る他の腰ベルトは、前記各実施形態の場合と同様に、ベルト本体１、係止部２，３、挿入支持部４，５を少なくとも共通して備え、この係止部２，３の構造をベルト本体１の長手方向に形状を維持し、ベルト本体１の短手方向に屈曲自在となる補強部材（図示を省略する。）で形成される構成である。この補強部材は、ベルト本体１の中央支持部１１、調整部１２，１３と同様に編立てによる帯状体、縫製による帯状体、その他合成樹脂の帯状体等により長手方向と短手方向との伸縮率を異ならせて構成することもできる。
【００４１】
前記補強部材は、編立てによる帯状体若しくは編成・縫製・合成樹脂等の帯状体に加えて板状の補強シート体を挿入若しくは固着して形成することもできる。
このように本実施形態においては、係止部２，３を補強部材で形成することにより、被着者がベルト本体１を装着する際の最も引っ張力と押圧力とを作用させる係止動作時に先端部分の係止部２，３を安定化させて、円滑な装着動作を実行できることとなる。
【００４２】
（本発明の実験例）
さらに、前記図１ないし図３に記載の本実施形態に係る腰ベルトの装着動作における被着者の筋肉活動量を挿入支持部４，５に各親指を挿入しない場合とを比較して実験し、さらに本実施形態と同様に親指を挿通する従来技術（特許文献４）に係る従来製品との実験結果と比較して説明する。
【００４３】
この実験方法は、本実施形態に係る腰ベルトと従来製品（以下、各試験体という。）とを、各々親指を挿入して引っ張った場合と親指を挿入することなく掌で握って引っ張った場合に分けて掴む（動作１）、引き寄せる（動作２）について前腕筋群外側と前腕筋群内側とを各々測定した。
【００４４】
前記動作１は、被験者の腰に各試験体を沿わせ、試験体の両端を前方に引き出し、掌で掴んだ時の筋肉活動量を測定した。また、前記動作２は、被験者の腰に試験体を沿わせ、試験体の両端を前方に引き出し、掌で掴んだ状態で両端同士を引き寄せて装着したときの筋肉活動量を測定した。なお、被験者は男性で年齢５８才、伸長１７８ｃｍ、体重８７ｋｇ、腹囲９３ｃｍである。
【００４５】
前記動作１，２の測定結果を表１に示す通りである。
【００４６】
【表１】
2020085367.tif 000003
【００４７】
前記測定結果において、動作１に関しては、以下の通りである。まず、従来製品は、手を入れて引っ張る作業では前腕筋群外側ではむしろ手を入れた方が筋肉を多く使用ないしは同等量を使用し、前腕筋群内側では約６０％と、楽に引っ張れていることの証となる筋肉使用量となっている。
【００４８】
他方、本実施形態の腰ベルトは、指を入れて引っ張る際の前腕筋群外側の筋肉は１２％の筋肉使用となり、若干の楽に引っ張れるデータとなり前腕筋群内側では約８３％と、かなり楽に引っ張れていることの証となる筋肉使用量となっている。
以上のことから動作１に関しては、本実施形態の腰ベルトの親指を入れて引っ張る動作に優位性があると明確に判断できるデータとなった。
【００４９】
次に、動作２に関しては、以下の通りである。従来製品は、手を入れて引っ張る作業では前腕筋群外側では約４３％とかなり楽に引っ張れていることの証となる筋肉使用料となり、前腕筋群内側ではむしろ手を入れた方が筋肉を多く使用ないしは同等量を使用している結果となった。
【００５０】
他方、本実施形態の腰ベルトは、指を入れた引っ張る際の前腕筋群外側の筋肉は９％の筋肉使用となり、若干の楽に引っ張れるデータとなり、前腕筋群内側では約１５％と楽に引っ張れていることの証となる筋肉使用量となった。
以上のことから動作２に関しては、従来製品の手を入れて引っ張る動作に優位性があると判断できるデータとなったが、本実施形態の腰ベルトは、面ファスナーに付ける際に右手親指を外して手をこねるように動かし押し付ける必要があり、その際の筋肉の使用が掌で掴んで装着する際と、筋肉使用の差を少なくしていると判断できる。
【符号の説明】
【００５１】
１  ベルト本体
２，３  係止部
４，５  挿入支持部
４ａ，５ａ  指入れ口部
４ｂ，５ｂ  指入れ先端部
６，７  副挿入支持部
８，９  押圧ベルト
１１  中央支持部
１２，１３  調整部
２１，３１  係止基部
２２，８５，９５  フック面部
２３，３２  ループ面部
【図１】
2020085367.tif 000004
【図２】
2020085367.tif 000005
【図３】
2020085367.tif 000006
【図４】
2020085367.tif 000007
【図５】
2020085367.tif 000008
【図６】
2020085367.tif 000009
【図７】
2020085367.tif 000010
【図８】
2020085367.tif 000011
【国際調査報告】
2020085367.tif 000012
2020085367.tif 000013
2020085367.tif 000014